(57)【特許請求の範囲】
【請求項１】
導管に沿うガスの流速を測定する方法であって、前記方法は、
ａ）前記導管中まで届き、前記ガスと接触するような圧電発振器の配置であって、前記圧電発振器は、前記導管に沿うガス流によって生じる前記圧電発振器への抵抗力に応答して発振するように構成される２つの平行な平面型タイン部（tines）を含むものである、配置、
ｂ）前記導管に沿う前記ガス流中の前記圧電発振器への抵抗力に起因する前記圧電発振器の前記平面型タイン部の発振性の運動によって発生されるノイズ電圧の大きさの測定、および
ｃ）前記発生されるノイズ電圧の前記大きさからの、前記導管に沿う前記ガスの流速の特定
を含む、導管に沿うガスの流速を測定する方法。
【請求項２】
工程ａ）が、前記圧電発振器の前記平面型タイン部を、前記ガスの流れに対して実質的に直角に配置することを含む、請求項１に記載の方法。
【請求項３】
工程ｂ）が、前記圧電発振器によって発生された前記ノイズ電圧を増幅することをさらに含む、請求項１または２に記載の方法。
【請求項４】
前記ノイズ電圧が前記流速の三乗に比例し、工程ｃ）が、前記増幅されたノイズ電圧の立方根を算出して前記ガスの流速を特定することをさらに含む、請求項３に記載の方法。
【請求項５】
さらに以下の工程、すなわち
ｄ）前記圧電発振器の共振周波数から前記ガスの密度を特定する工程
を含む、請求項１〜４のいずれか一項に記載の方法。
【請求項６】
工程ｄ）が、
ｅ）共振周波数で前記圧電発振器を駆動すること、
をさらに含む、請求項５に記載の方法。
【請求項７】
導管に沿うガスの流速を測定するためのメーターであって、前記メーターは、前記メーターの使用時に前記ガス流と接触し、前記ガス流の中へ延びており、前記ガス流によって生じる前記圧電発振器への抵抗力に応答して発振するように構成された２つの平行な平面型タイン部を含んでいる圧電水晶発振器を有するセンサーアセンブリーを含み、前記センサーアセンブリーは、前記導管に沿う前記ガス流中の前記圧電発振器への抵抗力に起因する前記圧電発振器の前記平面型タイン部の発振性の運動によって発生されるノイズ電圧の大きさを測定し、および前記発生されるノイズ電圧の大きさから、前記導管に沿う前記ガスの流速を特定するように構成された、導管に沿うガスの流速を測定するためのメーター。
【請求項８】
前記圧電発振器の前記平面型タイン部が、前記ガスの流れに対して実質的に直角に配置された、請求項７に記載のメーター。
【請求項９】
前記センサーアセンブリーが、前記圧電発振器によって発生された前記ノイズ電圧を増幅するための増幅器をさらに含む、請求項７または８に記載のメーター。
【請求項１０】
前記ノイズ電圧が前記流速の三乗に比例し、前記センサーアセンブリーが、前記増幅されたノイズ電圧の立方根を算出して前記ガスの流速を特定するように作動可能である、請求項９に記載のメーター。
【請求項１１】
前記センサーアセンブリーが、前記ガス流中の前記圧電発振器の共振周波数から前記ガスの密度を特定するようにさらに作動可能である、請求項７〜１０のいずれか一項に記載のメーター。
【請求項１２】
さらに駆動回路を含み、ここで、前記駆動回路は、共振周波数で前記圧電発振器を駆動するように作動可能である、請求項１１に記載のメーター。
【請求項１３】
前記平面型タイン部が、およそ３２ｋＨｚ以上の周波数で発振するように構成される、請求項１〜６のいずれか一項に記載の方法または請求項７〜１２のいずれか一項に記載のメーター。
【請求項１４】
前記圧電発振器が石英水晶発振器を含む、請求項１〜６のいずれか一項に記載の方法または請求項７〜１２のいずれか一項に記載のメーター。
【請求項１５】
請求項１〜６のいずれか一項に記載の工程を実施するための１つ以上のソフトウェア部分を含み、プログラム可能な処理装置によって実行可能である、コンピュータープログラム。
【発明の詳細な説明】
【技術分野】
【０００１】
本発明は、ガスの流速を測定するための方法および装置に関する。より詳細には、本発明は、圧電発振器を用いてガスの流量を測定するための方法および装置に関する。
【０００２】
本明細書で述べる方法および装置は、比較的高圧（例：約１０バールもしくはそれ以上）の流体が存在する系に適用することができ、例えば、高圧シリンダーでの流体の供給、または高圧流体を用いる製造プラントなどである。本発明は、特に、「清浄な」ガス、すなわち、水蒸気もしくはダストなどの不純物または汚染物をほとんどまたはまったく含まないガスに関する。
【０００３】
本発明は、特に、永久ガスに適用可能である。永久ガスとは、圧力単独によっては液化することのできないガスであり、例えば、最大４５０バールｇまでの圧力で、シリンダーとして供給され得る（ここで、バールｇは、大気圧を超える圧力の尺度である）。例としては、アルゴンおよび窒素である。しかし、これは限定的に解釈されるべきではなく、ガスの用語は、永久ガスおよび液化ガスの蒸気の両方を例とするより広範囲のガスを包含するものとして見なされ得る。
【背景技術】
【０００４】
液化ガスの蒸気は、圧縮ガスシリンダー中の液体上に存在する。シリンダー中に充填するために圧縮されるに従って圧力下で液化するガスは、永久ガスではなく、圧力下での液化ガスまたは液化ガスの蒸気としての記述がより正確である。例として、亜酸化窒素は、液体の形態でシリンダーとして供給され、平衡蒸気圧は１５℃で４４．４バールｇである。そのような蒸気は、それらが周囲条件付近の圧力または温度によって液化可能であることから、永久ガスまたは真のガス（true gases）ではない。
【０００５】
圧縮ガスシリンダーは、高圧、すなわち、大気圧よりも非常に高い圧力のガスを収容するように設計された圧力容器である。圧縮ガスシリンダーは、低コストの一般的工業分野の市場から、医療分野の市場、さらには高純度の腐食性、毒性、または発火性特殊ガスを用いる電子製造分野などのより高コストの用途まで、幅広い範囲の市場で用いられる。一般的に、圧縮ガス容器は、鋼鉄、アルミニウム、またはコンポジットを含み、ほとんどのガスについては４５０バールｇまでの、水素およびヘリウムなどのガスについては９００バールｇまでの最大充填圧力で、圧縮、液化、または溶解ガスを保存することができる。
【０００６】
ガスシリンダーまたはその他の圧力容器から効果的、および制御可能にガスを分配するためには、バルブまたはレギュレーターが必要である。多くの場合、これら２つは組み合わせられて、圧力低下装置内蔵バルブ（Valve with Integrated Pressure Reduction）（ＶＩＰＲ）が形成される。レギュレーターは、一定の、またはユーザーが変更可能な圧力でガスが分配されるように、ガスの流量を調節することができる。
【０００７】
多くの用途において、ガスシリンダーからのガスの流速を知ることは望ましい。これは、医療用途を例とする多くの用途において極めて重要であり得る。いくつかの異なる質量流量メーター設備が知られている。
【０００８】
多くの工業用途で一般的に用いられる質量流量メーターの種類は、機械式質量流量メーターである。そのようなメーターは、質量流量を測定するために移動または回転する機械コンポーネントを含む。１つのそのような種類としては、形状をつけた管に対する流体の影響を介して流体流量を測定する慣性流量メーター（inertial flow meter）（またはコリオリ流量メーター）である。コリオリメーターは、高い精度で広範囲の流速を扱うことができる。しかし、流速を検出するためには、始動、検知、電子、およびコンピューター機能などの複雑なシステムが必要とされる。
【０００９】
別の選択肢としての機械式質量流量メーターは、ダイアフラムメーター、ロータリーメーター、およびタービンメーターである。しかし、これらの種類のメーターは、一般的に、精度が高くなく、摩耗を受ける可能性のある動くパーツを含む。さらに、ロータリーメーターなどのメーターは、比較的低い流速を測定するためにしか有用ではない。
【００１０】
別の選択肢としての質量流量メーターの種類は、電子流量メーターである。２つの主たる種類は、熱流量メーターおよび超音波流量メーターである。熱流量メーターは、加熱管を通しての熱移動を測定することで、流速の測定を行う。超音波流量メーターは、ガス媒体中の音速を測定するものであり、管内の複数の経路にわたる音速を平均化する場合もある。しかし、電子流量メーターの両種類共に、一般的には大掛かりなシグナル処理ハードウェアを必要とし、一般的に高コストな製品である。
【００１１】
公知のガス流量センサーのさらなる種類は、流れの中の小さい障害物を通過する流れのノイズを測定するものである。"A Novel Gas Flow Sensor Based on Sound Generated by Turbulence", K. S. Rabbani et al, IEEE Instrumentation and Measurement Technology Conference Ottawa, Canada, May 19-21, 1997には、障害物の後ろに配置されたマイクロフォンを含む流量センサーが開示されている。マイクロフォンは、電気出力を提供し、それが流速のために調整され、較正される。しかし、そのような設備の欠点は、外部ノイズおよび／または振動が測定に影響を与え得ることである。
【発明の概要】
【００１２】
本発明の第一の態様によると、導管に沿うガスの流速を測定する方法が提供され、その方法は：ａ）導管中まで届き、ガスと接触するような圧電発振器の配置であって、前記圧電発振器は、導管に沿うガス流によって生じる前記圧電発振器への抵抗力に応答して発振するように構成される２つの平行な平面型タイン部（tines）を含むものである、配置；ｂ）導管に沿うガス流中の前記圧電発振器への抵抗力に起因する前記圧電発振器の平面型タイン部の発振性の運動によって発生されるノイズ電圧の大きさの測定；およびｃ）発生されるノイズ電圧の大きさからの、前記導管に沿うガスの流速の特定を含む。
【００１３】
実施形態によると、導管に沿うガスの流速を測定する方法が提供され、その方法は：ａ）導管中まで届き、ガスと接触するような圧電発振器の配置であって、前記圧電発振器は、２つの平面型タイン部を含むものである、配置；ｂ）導管に沿うガス流中の前記圧電発振器の平面型タイン部の運動によって発生される電圧の測定；およびｃ）発生される電圧からの、前記導管に沿うガスの流速の特定を含む。
【００１４】
１つの実施形態では、工程ａ）は、圧電発振器の平面型タイン部を、ガスの流れに対して実質的に直角に配置することを含む。
【００１５】
１つの実施形態では、工程ｂ）は、圧電発振器によって発生された電圧を増幅することをさらに含む。
【００１６】
１つの実施形態では、工程ｃ）は、増幅電圧の立方根を算出してガスの流速を特定することをさらに含む。
【００１７】
１つの実施形態では、前記平面型タイン部は、およそ３２ｋＨｚ以上の周波数で発振するように構成される。
【００１８】
１つの実施形態では、圧電発振器は、石英水晶発振器を含む。
【００１９】
１つの実施形態では、方法は、ｄ）圧電発振器の共振周波数からガスの密度を特定する工程をさらに含む。
【００２０】
１つの実施形態では、工程ｄ）は、ｅ）共振周波数で圧電発振器を駆動することをさらに含む。
【００２１】
本発明の第二の態様によると、導管に沿うガスの流速を測定するためのメーターが提供され、このメーターは、メーターの使用時に前記ガス流と接触し、前記ガス流の中へ延びており、前記ガス流によって生じる前記圧電発振器への抵抗力に応答して発振するように構成される２つの平行な平面型タイン部を含んでいる圧電水晶発振器を有するセンサーアセンブリーを含み、前記センサーアセンブリーは：導管に沿うガス流中の前記圧電発振器への抵抗力に起因する前記圧電発振器の平面型タイン部の発振性の運動によって発生されるノイズ電圧の大きさを測定し；および発生されるノイズ電圧の大きさから、前記導管に沿うガスの流速を特定するように構成される。
【００２２】
実施形態によると、導管に沿うガスの流速を測定するためのメーターが提供され、このメーターは、メーターの使用時に前記ガス流と接触し、前記ガス流の中へ延びている２つの平面型タイン部を含んでいる圧電水晶発振器を有するセンサーアセンブリーを含み、前記センサーアセンブリーは：導管に沿うガス流中の前記圧電発振器の平面型タイン部の運動によって発生される電圧を測定し；および発生される電圧から、前記導管に沿うガスの流速を特定するように構成される。
【００２３】
１つの実施形態では、圧電発振器の平面型タイン部は、ガスの流れに対して実質的に直角に配置される。
【００２４】
１つの実施形態では、センサーアセンブリーは、圧電発振器によって発生された電圧を増幅するための増幅器をさらに含む。
【００２５】
１つの実施形態では、センサーアセンブリーは、増幅電圧の立方根を算出してガスの流速を特定するように作動可能である。
【００２６】
１つの実施形態では、センサーアセンブリーは、ガス流中の圧電発振器の共振周波数からガスの密度を特定するようにさらに作動可能である。
【００２７】
１つの実施形態では、メーターは、さらに駆動回路を含み、ここで、駆動回路は、共振周波数で圧電発振器を駆動するように作動可能である。
【００２８】
１つの実施形態では、前記平面型タイン部は、およそ３２ｋＨｚ以上の周波数で発振するように構成される。
【００２９】
１つの実施形態では、圧電発振器は、石英水晶発振器を含む。
【００３０】
実施形態では、石英水晶は、ＡＴカットまたはＳＣカットである。
【００３１】
変更では、石英水晶の表面は、ガスに直接暴露される。
【００３２】
１つの実施形態では、センサーアセンブリーは、電力源を含む。１つの設備では、電力源は、リチウム電池を含む。
【００３３】
１つの実施形態では、センサーアセンブリーは、プロセッサーを含む。
【００３４】
１つの設備では、メーターは、圧力レギュレーターまたはバルブの下流に配置される。
【００３５】
さらなる設備では、メーターは、流量制限オリフィス（flow restriction orifice）を通過する測定された質量流速に応答して、圧力レギュレーターまたはバルブを電子制御するように構成される。
【００３６】
本発明の第三の実施形態によると、プログラム可能な処理装置によって実行可能であり、第一の態様の工程を実施するための１つ以上のソフトウェア部分を含むコンピュータープログラム製品が提供される。
【００３７】
本発明の第四の実施形態によると、そこに記憶された第四の態様に従うコンピュータープログラム製品を有する、コンピューターが使用可能である記憶媒体が提供される。
【００３８】
ここで、本発明の実施形態を、添付の図面を参照して詳細に記載する。
【図面の簡単な説明】
【００３９】
【図１】図１は、ガスシリンダーおよびレギュレーターアセンブリーの概略図である。
【図２】図２は、本発明の第一の実施形態に従うレギュレーターアセンブリーおよびメーターを示す概略図である。
【図３】図３は、本発明の第二の実施形態に従うレギュレーターアセンブリーおよびメーターを示す概略図である。
【図４】図４は、流速（リットル／分）の関数としてのＹ軸のノイズ電圧（ｍＶ）のグラフを示す。
【図５】図５は、流速（リットル／分）の関数としてのＹ軸のノイズ電圧の立方根のグラフを示す。
【図６】図６は、時間（秒）の関数としてのＹ軸のノイズ電圧（ｍＶ）のグラフを示す。
【図７】図７は、ガス流量および密度の両方を測定するための電子増幅器回路の概略図を示す。
【図８】図８は、記載の実施形態に従う方法を示すフローチャートである。
【図９】図９は、リモート電子データユニットを用いる別の選択肢としての設備を示す。
【発明を実施するための形態】
【００４０】
図１は、本発明の実施形態に従うガスシリンダーアセンブリー１０の概略図を示す。図１は、本発明を用いることができる状況の概略図を示す。ガスシリンダー１００、レギュレーター１５０、およびメーター２００が提供される。
【００４１】
ガスシリンダー１００は、ガスシリンダー本体１０２およびバルブ１０４を有する。ガスシリンダー本体１０２は、ガスシリンダーアセンブリー１０が平面上で支持なしに自立可能であるように構成された平面基部１０２ａを有する概略円柱形状の圧力容器を含む。
【００４２】
ガスシリンダー本体１０２は、鋼鉄、アルミニウム、および／またはコンポジット材料から形成され、最大およそ９００バールｇまでの内圧に耐えるように適合され、構成される。開口部１０６は、基部１０２ａの反対側のガスシリンダー本体１０２の近位端部に配置され、バルブ１０４を受けるように適合されたねじ山（図示せず）を含む。
【００４３】
ガスシリンダー１００は、内部容積Ｖを有する圧力容器を定める。ガスシリンダー１００内には、適切ないかなる流体が収容されてもよい。しかし、本実施形態は、それだけに限定されないが、ダストおよび／または水分などの不純物を含まない精製された永久ガスに関する。網羅的ではないそのようなガスの例は：酸素、窒素、アルゴン、ヘリウム、水素、メタン、三フッ化窒素、一酸化炭素、クリプトン、またはネオンであってよい。
【００４４】
バルブ１０４は、筺体１０８、出口部１１０、バルブ本体１１２、およびバルブシート１１４を含む。筺体１０８は、ガスシリンダー本体１０２の開口部１０６とかみ合わせるための相補的ねじ山を含む。出口部１１０は、ガスシリンダー１００を、ホース、管、またはさらなる圧力バルブもしくはレギュレーターを例とするガスアセンブリーの他のコンポーネントと接続することを可能とするように適合され、構成される。バルブ１０４は、所望に応じて、ＶＩＰＲ（圧力低下装置内蔵バルブ）を含んでよい。この場合、レギュレーター１５０は省略されてよい。
【００４５】
バルブ本体１１２は、選択的に出口部１１０を開または閉とするために、握ることのできるハンドル１１６の回転によって、バルブシート１１４に向かって、またはそれから遠ざかるように、軸方向に調節することができる。言い換えると、バルブ本体１１２のバルブシート１１２に向かう、またはそれから遠ざかる動きにより、ガスシリンダー本体１０２の内部と出口部１１０との間の連結経路の領域が選択的に制御される。そしてこれは、ガスシリンダーアセンブリー１００の内部から外部環境へのガスの流量を制御する。
【００４６】
レギュレーター１５０は、出口部１１０の下流に配置される。レギュレーター１５０は、入り口部１５２および出口部１５４を有する。レギュレーター１５０の入り口部１５２は、ガスシリンダー１００の出口部１１０とレギュレーター１５０との間の連結経路を提供する入り口管１５６と接続される。レギュレーター１５０の入り口部１５２は、ガスシリンダー１００の出口部１１０から高圧のガスを受けるように構成される。これは、適切ないかなる圧力であってもよいが、一般的には、出口部１１０から出るガスの圧力は、２０バールを超えており、１００〜９００バールの範囲である可能性がより高い。
【００４７】
出口部１５４は、出口管１５８と接続される。カップリング１６０は、出口管１５８の遠位端部に配置され、ガスを必要とするさらなる管またはデバイス（図示せず）と接続されるように適合される。
【００４８】
メーター２００は、出口部１５４とカップリング１６０との間の出口管１５８と連結されて配置される。メーター２００は、レギュレーター１５０のすぐ下流に配置され、出口部１６０へ送られるガスの流速を特定するように構成される。
【００４９】
本発明の第一の実施形態に従うレギュレーター１５０およびメーター２００は、図２においてより詳細に示される。
【００５０】
本実施形態では、レギュレーター１５０は、単一のダイアフラムレギュレーターを含む。しかし、当業者であれば、２つのダイアフラムレギュレーターまたはその他の設備を例とする本発明で用いることが可能である変更を容易に認識するであろう。
【００５１】
レギュレーター１５０は、入り口部１５２および出口部１５４と連結されたバルブ領域１６２を含む。バルブ領域１６２は、バルブシート１６６に隣接して配置されるポペットバルブ１６４を含む。ポペットバルブ１６４は、ダイアフラム１６８と接続され、それは、バルブシート１６６に向かう、およびそれから遠ざかるポペットバルブ１６４との平行移動によってそれらの間にある開口部１７０をそれぞれ閉および開とすることを可能とするよう構成される。ダイアフラム１６８は、シャフト１７４の周りに配置されるスプリング１７２の弾性によって偏った状態とされている。
【００５２】
レギュレーター１５０は、全シリンダー圧力（例：１００バール）にて、出口部１１０からガスを受けるが、実質的に一定である固定された低圧力（例：５バール）にて、出口部１５４にガスを供給するように作動可能である。これは、開口部１７０の下流のガスの圧力が、スプリング１７２の偏らせる力とは逆向きにダイアフラム１６８に作用するように作動可能であるフィードバック機構によって達成される。
【００５３】
ダイアフラム１６８に隣接する領域のガス圧力が指定されたレベルを超えた場合に、ダイアフラム１６８は、上向き（図２に対して）に移動するように作動可能である。結果として、ポペットバルブ１６４は、バルブシート１６６に近付くように移動し、開口部１７０のサイズが低下し、その結果、入り口部１５２から出口部１５４へのガスの流量が制限される。一般的に、スプリング１７２の抵抗力およびガスの圧力の競合する力が、ダイアフラムの平衡位置をもたらし、その結果、出口部１５４にてガスの一定圧力が供給される。
【００５４】
スプリング１７２の偏らせる力をユーザーが調節可能であるように、握ることのできるハンドル１７６が提供され、それによって、ダイアフラム１６８の位置を移動させ、結果として、ポペットバルブ１６４とバルブシート１６６との間の平衡間隔を調節する。このことにより、出口部１１０からの高圧ガス流が通過することのできる開口部１７０の寸法の調節が可能となる。
【００５５】
メーター２００は、本体２０２およびセンサーアセンブリー２０４を含む。本体２０２は、鋼鉄、アルミニウム、またはコンポジットを例とする適切ないかなる材料を含んでもよい。本体２０２は、導管２０６および筐体２０８を含む。導管２０６は、出口管１５８の内部と連結され、それと接続されるように構成される。導管２０６は、出口部１５４とカップリング１６０（および同時に、カップリング１６０と接続されたユーザーデバイスまたはアプリケーション）との間の流体連結経路を提供する。
【００５６】
本実施形態では、導管２０６は、概略円柱形状である。さらに、本実施形態では、導管２０６は、流量制限部（flow restriction）２０６ａを含む。流量制限部２０６ａは、導管の直径が狭められたセクションを含む。これによって流量が増加され、後述するように、センサーアセンブリー２０４による流速の測定が補助される。例として、管の非絞り部分の直径の半分の絞りが充分である。オリフィスなどの強い絞りは必要ではない。
【００５７】
筐体２０８は、センサーアセンブリー２０４の少なくとも一部分を含有するように構成される。筐体２０８の内部は、大気圧であってよく、または導管２０６の内部と連結され、その結果として出口管１５８の内部と同じ圧力であってもよい。これにより、筐体２０８と導管２０６の内部との間の圧力フィードスルー（pressure feed-through）の必要性が排除される。
【００５８】
別の選択肢として、筐体２０８は、導管２０６の一部分として提供されてもよい。例えば、導管２０６の一部分が、センサーアセンブリー２０４を収容するように広げられてよい。発明者らが、高圧の影響を受けやすいのは、センサーアセンブリー２０４の少数のコンポーネントのみであることを見出したことから、これらの設備は実用的である。特に、電池などのより大きいコンポーネントが、高圧に弱いものであり得る。しかし、リチウム電池が、導管２０６で遭遇し得る高圧下で特に良好に機能することが見出された。しかし、当業者によれば、別の選択肢としての適切な電力源が容易に考慮される。
【００５９】
センサーアセンブリー２０４を完全に導管２０６内に配置することが考えられることにより、メーター２００の設計の際にさらなる柔軟性が得られる。特に、比較的脆弱な電子コンポーネントを、筐体２０８などの突出部分を必要とせずに、本体２０２の金属またはコンポジット壁内に完全に配置することにより、環境または不慮の損傷からの高い保護が得られる。このことは、例えば、ガスシリンダーが、他のガスシリンダー、重機械、または粗い表面に隣接して配置される場合のある保管領域または倉庫において特に重要である。
【００６０】
さらに、センサーアセンブリー２０４が内部に配置されることにより、塩分、水分、およびその他の汚染物などの環境条件からこれらのコンポーネントが保護される。このことにより、例えば、塩分および水分による損傷を非常に受けやすい高インピーダンス回路を、センサーアセンブリー２０４の一部分として用いることが可能となる。
【００６１】
メーター２００は、導管に沿うガスの流速を測定するように構成される。センサーアセンブリー２０４は、増幅器回路２１２、電池２１４、およびマイクロプロセッサー２１６と接続される石英水晶発振器２１０を含む。
【００６２】
本実施形態では、石英水晶発振器２１０は、導管２０６の内部と連結されて配置され、一方センサーアセンブリー２０４の残りのコンポーネントは、筐体２０８内に配置される。言い換えると、石英水晶発振器２１０は、オリフィスプレート２１０の上流のガス中に浸漬される。
【００６３】
石英水晶発振器２１０は、石英カット品の平面セクションを含む。図２に示されるように、本実施形態の石英水晶発振器２１０は、音叉形状であり、真空中において３２．７６８ｋＨｚの共振周波数で発振するように構成された長さがおよそ５ｍｍである１対のタイン部２１０ａを含む。タイン部２１０ａは、石英の平面セクションに形成される。音叉形状のタイン部２１０ａは、通常、その基本モードで発振し、その場合、それらは、共振周波数で同期して、互いに向かう方向に、および互いから離れる方向に動く。共振周波数以外の周波数での水晶２１０の発振は、急速にその振幅を失い、消滅する。
【００６４】
石英は、圧電挙動を示し、すなわち、水晶全体にわたって電圧を印加することで、水晶に形状の変化が引き起こされ、機械的な力が発生する。逆に、水晶に機械的な力が加えられると、電荷が発生する。本発明で利用されるのはこの特性である。
【００６５】
石英水晶発振器２１０の２つの平行な表面は、水晶の塊全体にわたって電気接続を提供する目的で、金属化される。その金属接点によって電圧が水晶全体に印加されると、水晶は形状を変化させる。交流電圧を水晶に印加することにより、水晶に発振を引き起こすことができる。同時に、水晶２１０のタイン部２１０ａの発振（すなわち、水晶２１０の形状変化）は、電気接続部間に電圧の発生を引き起こす。
【００６６】
石英水晶発振器２１０は、導管２０６に沿う流れの中に配置される。詳細には、石英水晶発振器２１０は、導管２０６に沿う流れ絞り部２０６ａ中に配置される。これにより、石英水晶発振器２１０を通過するガスの流速が上昇する。
【００６７】
石英水晶発振器２１０は、流れ障害物および流量検出器の両方として作用するように作動可能である。従って、石英水晶発振器２１０は、導管２０６に沿うガス流中まで延びるように作動可能である。水晶発振器２１０の長軸Ｘは、示されるように、流れの方向に対して実質的に直角である。言い換えると、音叉型石英水晶発振器２１０の平行なタイン部２１０ａは、導管２０６の内壁から延びて導管２０６中へと突き出している。
【００６８】
音叉型水晶２１０のタイン部２１０ａは、一平面中で互いに平行に位置している。石英水晶発振器２１０は、その平面が流れの方向に対して実質的に平行となるように流れに対して配向されてよい（図２に示されるように）。別の選択肢として、石英水晶発振器２１０は、その平面が流れの方向に対して直角に、もしくは直交して、または中間の角度で位置するように配向されてもよい。
【００６９】
さらに、石英水晶発振器２１０の長軸Ｘは、流れに対して厳密に直角に配向される必要はない。重要なことは、石英水晶発振器２１０が、乱流を引き起こすために流れの中に突き出していることである。従って、当業者であれば、用いることが可能である流れに対するその他の角度を容易に認識するものであり；例えば、鈍角（この場合、石英水晶発振器２１０の遠位端部がその近位端部の下流側に向けて角度が付けられている）または鋭角（この場合、石英水晶発振器２１０の遠位端部がその近位端部の上流側に向けて角度が付けられている）である。
【００７０】
石英水晶の物理的サイズおよび厚さが、石英水晶の特性、または共振周波数を決定する。実際、水晶２１０の特性、または共振周波数は、２つの金属化表面間の物理的厚さに逆比例する。石英水晶発振器は、本技術分野にて公知であり、従って、石英水晶発振器２１０の構造については、ここでさらに記載しない。
【００７１】
加えて、石英水晶の共振振動周波数は、水晶が配置される環境に依存して様々となる。真空下では、水晶は、特定の周波数を有する。しかし、この周波数は、異なる環境中では変化する。例えば、流体中では、水晶の振動は、周囲の分子によって減衰されることになり、このことが、共振周波数、および任意の振幅での水晶の発振に必要とされるエネルギーに影響を与える。
【００７２】
さらに、水晶上へのガスの吸着または周囲物質の堆積により、振動する水晶の質量が影響を受け、共振周波数が変化する。物質のそのような吸着または堆積は、一般的に用いられる選択性ガス分析器の基礎を成すものであり、そこでは、水晶上に吸収層が形成されており、ガスが吸収されるに従って、その質量が増加する。しかし、本発明の場合、石英水晶発振器２１０にコーティングは適用されない。
【００７３】
溶融（または非結晶）石英は、温度依存性膨張係数が非常に低く、弾性係数も低い。このことにより、示されるように、基本周波数の温度依存性が低減され、温度の影響が最小限に抑えられる。
【００７４】
加えて、ＡＴカットまたはＳＣカットである石英を用いることが望ましい。言い換えると、石英の平面セクションは、発振周波数の温度係数を、室温近辺での広いピークを有する放物線状となるように定めることができるように、特定の角度でカットされる。従って、水晶発振器は、ピークトップの傾きが精密にゼロとなるように構成することができる。
【００７５】
そのような石英水晶は、一般的に、比較的低コストで入手可能である。真空下で用いられる大部分の石英水晶発振器とは対照的に、本実施形態では、石英水晶発振器２１０は、導管２０６中にて、圧力下のガスに暴露される。
【００７６】
本発明の第二の実施形態を、図３に示す。図２の第一の実施形態と共通する図３に示される第二の実施形態の特徴には、同じ符号が割り当てられ、ここでは再度記載しない。
【００７７】
図３の実施形態において、レギュレーター３００は、レギュレーター３００が、ソレノイドバルブ３０２によって出口部１５４からガスの自動制御を提供するように構成されるという点で、図２の実施形態のレギュレーター１５０とは異なる。ソレノイドバルブ３０２は、ソレノイドバルブ３０２のコイル（図示せず）を通る電流に応答して動くことができるアーマチュア３０４を含む。アーマチュア３０４は、ポペットバルブ１６４を、従って開口部１７０を直接開または閉とするように動くことができる。
【００７８】
図３に示すソレノイドバルブ３０２は、通常時開の状態である。言い換えると、ソレノイドバルブ３０２を通る電流が存在しない場合、アーマチュア３０４は、ポペットバルブ１６４が開となるように延びた位置にあり、すなわち、開口部１７０が開いている。ソレノイドバルブ３０２に電流が印加されると、アーマチュア３０４は後退し、ポペットバルブ１６４は閉となる。
【００７９】
当業者であれば、本発明で用いることが可能であるソレノイドバルブの別の選択肢としての変更を容易に認識するであろう。例えば、アーマチュア３０４は、ダイアフラムへ直接作用してよく、またはダイアフラム１６８の動きを調節する目的で、出口部１５４と連結された狭い導管を通る流量を制御してもよい。別の選択肢として、ポペットバルブを省略し、ダイアフラム１６８自体を、入り口部１５２から出口部１５４へのガスの流量を直接制御するバルブメンバーとすることも可能である。
【００８０】
第二の実施形態は、流量メーター３５０を含む。メーター２００と共通するメーター３５０のコンポーネントは、明確にするために、同じ符号が割り当てられる。
【００８１】
メーター３５０は、第一の実施形態のメーター２００と非常に類似している。しかし、メーター３５０は、ソレノイドバルブ３０２およびセンサーアセンブリー２０４と接続される電子ソレノイド駆動部３５２をさらに含む。ソレノイド駆動部３５２は、センサーアセンブリー２０４からシグナルを受け取り、そのシグナルに応答してソレノイドバルブ３０２を制御し、その結果としてレギュレーター３００を通る流量を制御するように構成される。
【００８２】
ソレノイド駆動部３５２は、ソレノイドバルブ３０２を制御するための適切ないかなる駆動回路を含んでもよい。１つの適切な回路は、センサーアセンブリー２０４から演算増幅器の負端子への入力を有する演算増幅器の設備であってよい。従って、正端子へは、一定の基準レベルを提供し、比較器として作用するように設計される可変抵抗器を取り付けることが可能である。
【００８３】
センサーアセンブリー２０４からソレノイド駆動部３５２への入力は、ソレノイドバルブ３０２を作動させる。例えば、センサーアセンブリー２０４（または、別の選択肢として、プロセッサー２１６）からの入力シグナルが特定の閾値レベルを超える場合に、ソレノイド駆動部３５２がソレノイドバルブ３０２を作動させてよい。ソレノイドバルブ３０２は、デジタル式に制御されてよく（すなわち、オンまたはオフ）、この場合、ＤＣ電圧が、最大および最小値の間で変化される。別の選択肢として、ソレノイド駆動部３５２からのＤＣ電圧が連続的に可変であって、ポペットバルブ１６４の位置がアナログ式によって正確に調節されてもよい。
【００８４】
加えて、または別の選択肢として、ソレノイド駆動部３５２は、ＡＣ成分を含むＤＣ出力によってソレノイドバルブ３０２を制御してもよい。ソレノイドバルブ３０２からのアーマチュア３０４の延びは、印加電流におよそ比例することから、これは、ソレノイドバルブ３０２のアーマチュア３０４の振動を引き起こす。そのような振動は、アーマチュア３０４の「静摩擦」を緩和し、すなわち、アーマチュア３０４の引っ掛かりまたは詰まりを防止する手助けとなる。
【００８５】
別の選択肢として、ＦＥＴ、マイクロプロセッサー、またはＡＳＩＣなどのその他の制御設備が、ソレノイドバルブ３０２の作動の制御に適宜用いられてもよい。さらに、考察したように、ソレノイドバルブ３０２は、ポペットバルブ１６４または類似物の正確な動きを可能とするために、デジタル（すなわち、オン／オフ）またはアナログ（すなわち、連続的に可変）モードのいずれかで作動されてよい。
【００８６】
第一または第二の実施形態は、検出されたガスに対して成された測定の結果をユーザーに示すためのディスプレイ（図示せず）をさらに含んでよい。別の選択肢として、ディスプレイは、メーター２００、３５０から離れて配置されてよく、該当するデータは、リモート通信されてよい。
【００８７】
ここで、流れノイズセンサー（flow noise sensor）の理論および作動について記載する。石英水晶発振器２１０は、それが配置されている流体の密度に依存する共振周波数を有する。発振する音叉型の平面水晶発振器をガスに暴露することにより、水晶の共振周波数の偏移および減衰が引き起こされる（真空中の水晶の共振周波数と比較した場合）。これにはいくつかの理由がある。水晶の発振に対するガスの減衰効果が存在するが、音叉型水晶発振器２１０の振動するタイン部２１０ａに隣接するガスは、発振器の有効質量を増加させる。このことは、片側固定弾性棒（one-sided, fixed elastic beam）の運動に従って、石英水晶発振器の共振周波数の低下を引き起こすものであり：
【数１】
0005969696.tif 000002
ここで、ｆは、発振の周波数であり、ｆ0は、真空中での発振の周波数であり、ρは、ガス密度であり、Ｍ0は、定数である。
【００８８】
密度ρは、ほとんどすべての場合において、Ｍ0と比較して小さく、従って、この式は、以下の一次方程式によって近似することができ：
【数２】
0005969696.tif 000003
これは、ｆ0からの周波数偏移Δｆに関して再度表すことができ、方程式３）で示される。
【数３】
0005969696.tif 000004
【００８９】
従って、良好な近似として、周波数の変化は、石英水晶発振器が暴露されるガスの密度の変化に比例する。
【００９０】
一般的に、石英水晶発振器２１０の感度は、大気圧と比較した場合に、例えば２５０バールの酸素ガス（原子質量数３２を有する）で、周波数の５％の変化が見られる感度である。
【００９１】
石英水晶発振器２１０を用いることの利点は、共振周波数が充分に明らかにされており、および上記で示したように、ガス圧力によって少しずつしか変化しないことである。加えて、石英水晶発振器２１０は、共振周波数以外の周波数での振動に対して比較的感受性が低く、従って、外部の振動およびノイズによる影響を比較的受けにくい。
【００９２】
ガス流が導管２０６に沿って存在する場合、ガスは、流量制限部２０６ａにある石英水晶発振器２１０を通過して流れる。石英水晶発振器２１０が、実際にはガス流中の障害物であることから、石英水晶発振器２１０は、ガス流に抵抗を作り出し、乱流が発生する。これが流れノイズを引き起こす。
【００９３】
石英水晶発振器２１０への抵抗力およびその周りの乱流により、タイン部２１０ａの動きが引き起こされ、そしてこれが、石英水晶発振器２１０の電気接続部間の電圧を発生させる。この電圧は、ノイズ電圧（Ｖn）として知られる。実験的に、発生されるノイズ電圧Ｖnは、流速（Ｑ）の三乗に比例することが見出されており、方程式４）で示され：
【数４】
0005969696.tif 000005
ここで、Ｋは、多くの流れの状況において、定数であるが、ガス密度に応じてゆっくり変動する。
【００９４】
従って、ノイズ電圧Ｖnの測定値は、立方根フィルターを通されると、流速の示度を提供することができる。典型的には、共振周波数３２．７６８ｋＨｚの水晶を有する長さ５ｍｍの石英水晶発振器は、３リットル／分の流速で流れる３ｍｍ管中に搭載されると、増幅器回路２１２で１０倍に増幅される場合、３０ｍＷの電圧を与える。このシグナル上の典型的なノイズは、１０秒時定数スムージングデジタルフィルターの適用後、典型的には、＋／−２％の誤差を流量にもたらす。
【００９５】
図４は、リットル／分単位での流速（Ｘ軸）の関数としてのｍＶ単位でのノイズ電圧Ｖn（Ｙ軸）のグラフを示す。この場合の各データ点は、１分間にわたる平均である。
【００９６】
図５は、同じデータのｍＶ単位でのノイズ電圧Ｖn（Ｙ軸）であるが、立方根が適用されたものを、リットル／分単位での流速（Ｘ軸）の関数として示す。示されるように、グラフはほぼ直線である。
【００９７】
図４および５の例では、共振周波数３２．８ｋＨｚの水晶を有する長さ５ｍｍの石英水晶発振器を用い、そこからのシグナルは、電圧ゲインが１０倍であるシングルステージ増幅器（標準７４１増幅器など）に通した。
【００９８】
図６は、時間の関数としてのノイズ電圧のグラフを示す。測定は、１秒間隔で、１００秒間にわたって行った。４本の線は、それぞれ、３、４．５、６、および９リットル／分で測定した流れノイズを表しており、最も速い流速が、最も高い電圧を発生させている。
【００９９】
加えて、石英水晶発振器２１０は、流れノイズを測定するための単なる受動的センサーとしてではなく、能動的または半能動的モードで用いることもできる。方程式１）から３）に関連して上記で考察したように、石英水晶発振器２１０は、周囲ガスの密度ρに比例する周波数ｆで共振する。
【０１００】
従って、上記方程式１）から３）に従って、周波数ｆを正確に測定することができ、ガスの密度ρを正確に算出することができる。次に、この情報は、ユーザーに出力することができ、および／または方程式４）の実験定数Ｋの値がガス密度に応じてゆっくり変動することが実験的に見出されていることから、上記方程式４）の較正係数Ｋの調節に用いることもできる。
【０１０１】
周波数ｆは、石英水晶発振器２１０が、特定の媒体中においてその共振周波数ｆで共振する傾向にあることから、石英水晶発振器２１０の流れ励起振動から直接誘導することができる。
【０１０２】
別の選択肢として、周波数ｆは、周期的ベースで、短い時間にわたり、駆動回路によって意図的に励起することもできる。これにより、確実に、測定される共振周波数ｆが充分に明らかにされた大きさとなり、より正確な測定を行うことができる。
【０１０３】
本発明での使用に適する増幅器回路２１２の例を図７に示す。増幅器回路２１２は、増幅器２１８、抵抗器Ｒ１およびＲ３、ならびにスイッチＳＷ１およびＳＷ２を含む。
【０１０４】
増幅器２１８は、Ｒ１およびＲ３と合わせて、非反転増幅器を形成する。Ｒ３は、可変抵抗器であり、Ｒ３の値の変動は、増幅器のゲインを制御するように作動可能である（すなわち、Ｒ３の値を増加させると、ゲインが減少する）。これを用いることで、発振を維持し（石英水晶発振器２１０の励起に用いられる場合）、および流れノイズ検出器として機能する場合の石英水晶発振器２１０からのシグナルの増幅に用いられる場合に、充分に高く飽和していない測定可能なシグナルレベルを得るという両方のための適切なゲインレベルを設定することができる。
【０１０５】
スイッチＳＷ１およびＳＷ２は、増幅器および発振器の駆動モード間で回路２１２をスイッチするように作動可能である。これらは、例えば、電界効果トランジスター（ＦＥＴ）スイッチまたは電気機械式継電器を含んでよい。
【０１０６】
石英水晶発振器２１０によって発生されたノイズ電圧を増幅するための増幅器として用いられる場合（流れノイズ検出器として用いられる場合）、スイッチＳＷ１は、オフの位置であり（すなわち、開）、スイッチＳＷ２は、オンの位置である（すなわち、閉）。
【０１０７】
増幅器モードでは、出力は、石英水晶発振器２１０が外部源によって励起される場合に発生される電圧を反映している。増幅器２１８のゲインの調節は、出力シグナルが、正確な測定のためには充分であるが、飽和はしないように行われる。
【０１０８】
逆に、石英水晶発振器２１０によって発生されたノイズ電圧を増幅するための増幅器として用いられる場合（流れノイズ検出器として用いられる場合）、スイッチＳＷ１は、オンの位置であり（すなわち、閉）、スイッチＳＷ２は、オフの位置である（すなわち、開）。
【０１０９】
発振器モードでは、石英水晶発振器２１０は、増幅器２１８の出力によって励起され、これが、増幅器２１８の入力へとフィードバックされる。増幅器２１８のゲインが充分に高い場合、発振は維持される。発振器の周波数ｆは、出力に接続された周波数メーターを用いて測定されてよい。
【０１１０】
変更では、スイッチＳＷ１を抵抗器で置き換えることが可能であり、この場合、ＳＷ２単独で、作動モードが制御される。
【０１１１】
ここで、本発明の実施形態に従う方法について、図８を参照して記載する。以下に記載する方法は、上述した第一および第二の実施形態の各々に適用可能である。
【０１１２】
［工程４００：測定初期化］
工程４００において、導管２０６を通るガスの流速の測定が初期化される。これは、例えば、筺体２０８の外側にあるボタンをユーザーが押すことによって起動されてよい。別の選択肢として、測定は、リモート接続によって開始されてもよく、例えば、ワイヤレスネットワークを通してシグナルが送信され、アンテナを通してメーター２００、３５０によって受信される。
【０１１３】
さらなる別の選択肢として、または追加として、メーター２００、３５０は、リモートで、またはタイマーで初期化されるように設計されてよい。方法は、工程４０２へ進む。
【０１１４】
［工程４０２：石英水晶発振器を用いた電圧の発生］
初期化されると、石英水晶発振器２１０を通過するガスの流れが、乱流および抵抗力の結果として、石英水晶発振器２１０を動かし、圧電効果によって電圧を発生させる。理解されるように、石英水晶発振器２１０は、本質的に、独立型検出器であり、流れ障害物である。
【０１１５】
［工程４０４：発生電圧の増幅］
次に、増幅器回路２１２が、石英水晶発振器２１０によって発生されたシグナルを増幅する。本実施形態では、シングルステージ増幅器回路２１２（増幅器２１８を含む）が用いられるが、マルチステージシステムを用いることも可能である。本実施形態では、増幅器２１２は、電圧ゲイン１０を有するが、必要に応じてその他のゲインを用いることも可能である。
【０１１６】
方法は、工程４０６へ進む。
【０１１７】
［工程４０６：データの立方根取得］
上記で示したように、ノイズ電圧は、流量Ｑの三乗に比例する。従って、流速Ｑに比例するデータ値を得るために、立方根回路が実装される。方法は、工程４０８へ進む。
【０１１８】
［工程４０８：積分およびスムージング］
測定を行うために、立方根を取り、増幅された電圧値が、およそ１０秒間にわたって測定される。これは、正確な測定値を特定するために、読み取りを安定化させることを可能とするためである。次に、デジタルフィルターを用いてデータのスムージングを行う。この工程、および前の工程は、マイクロプロセッサー２１６で、または増幅器回路２１２上の専用回路網によって行われてよい。マイクロプロセッサー２１６は、測定が開始された時間Ｔ1の記録も行ってよい。
【０１１９】
［工程４１０：周波数からのガス密度の誘導］
工程４１０はオプションであり、流量メーターの作動中に必要に応じて行われてよい。方程式１）、２）、および３）に関連して上記で示したように、ガス密度は、石英水晶発振器２１０の共振周波数におよそ直線的に依存する。この周波数ｆが測定され、密度の情報が必要に応じてプロセッサー２１６によって利用される。
【０１２０】
方法は、工程４１２へ進む。
【０１２１】
［工程４１２：ガス流量の特定］
これは、上記の方程式４）を用いて行われ、ここで、ノイズ電圧は工程４０２で測定され、定数Ｋの初期値は既に特定されている。工程４１０で密度が特定された場合、定数Ｋの値は、該当する密度の情報を用いて、必要に応じて更新されてよい。
【０１２２】
方法は次に、工程４１４へ進む。
【０１２３】
［工程４１４：結果の通信および記憶］
ガスの流量は、いくつかの方法で表示させることができる。例えば、筺体２０８、本体２０２、またはレギュレーター１５０、３００に取り付けられたスクリーン（図示せず）に、ガスの流量が表示されてよい。別の選択肢として、流速測定は、以降で記載するように、ベースステーションへ、または隣接する付属備品上に配置されるメーターへ、リモート通信されてもよい。
【０１２４】
なおさらなる別の選択肢として、時間Ｔ1でのガスの流速が、前記マイクロプロセッサー２１６のローカルメモリーに記憶されて、時間ログが作製されてもよい。
【０１２５】
方法は次に、工程４１６へ進む。
【０１２６】
［工程４１６：センサーアセンブリーの電源オフ］
メーター２００、３５０を常時作動状態に保持しておく必要はない。逆に、非使用時にメーター２００、３５０のスイッチを切ることによって電力消費を低減することは有益である。これにより、電池２１４の寿命が長くなる。
【０１２７】
上記実施形態の変更は、当業者に明らかである。ハードウェアおよびソフトウェアコンポーネントの厳密な設計は異なっていてもよく、それでも、本発明の範囲内に含まれる。当業者であれば、用いられてよい別の選択肢としての設計を、容易に認識するであろう。
【０１２８】
例えば、電子機能は、シリンダー上に恒久的に搭載されるユニットと、顧客用ステーションに搭載されるユニットか、または従来の流量メーターに通常は用いられる位置などのシリンダーの出口部に一時的に搭載されるユニットとに分割されてよい。
【０１２９】
本設備の例を、図９を参照して示す。この設備は、ガスシリンダー５００、レギュレーター５０２、および質量流速メーター５０４を有するガスシリンダーアセンブリー５０を含む。ガスシリンダー５００、レギュレーター５０２、および質量流速メーター５０４は、先の実施形態に関連してこれまでに述べたガスシリンダー１００、レギュレーター１５０、およびメーター２００、３５０に非常に類似している。
【０１３０】
本実施形態では、質量流速メーター５０４は、先の実施形態の石英水晶発振器２１０および増幅器回路２１２に類似する石英水晶発振器および増幅器回路（図示せず）を含む。適切ないずれかのリモート通信プロトコルを介する通信のためのアンテナ５０６が提供され；例えば、ブルートゥース（登録商標）、赤外（ＩＲ）、またはＲＦＩＤである。別の選択肢として、ワンワイヤ通信が用いられてもよい。
【０１３１】
さらなる別の選択肢として、音響通信法が用いられてもよい。そのような方法の利点は、外部アンテナを必要とせずにリモート通信を行うことができることである。
【０１３２】
接続管５０８が、ガスシリンダー５００の出口部に接続される。接続管は、クイックコネクト接続部（quick connect connection）５１０が末端に接続されている。このクイックコネクト接続部５１０は、接続配管またはコンポーネントとガスシリンダー５００との接続および分離を、容易に素早く行うことを可能とするものである。
【０１３３】
クイックコネクトユニット５５０は、ガスシリンダー５００との接続のために提供される。コネクター５０８との接続のために、相補的なクイックコネクトコネクター５１２が提供される。さらに、クイックコネクトユニット５５０は、データユニット５５２を備える。データユニット５５２は、ディスプレイ５５４、およびガスシリンダーアセンブリー５０のアンテナ５０４との通信のためのアンテナ５５６を含む。ディスプレイ５５４は、ディスプレイの電力消費を最小限に抑え、最大限の視認性を得るために、例えば、ＬＣＤ、ＬＥＤ、または昼光視認可能ディスプレイ（daylight-readable display）を含んでよい。
【０１３４】
データユニット５５２は、ガスシリンダーアセンブリー５０のセンサーアセンブリー５０２によって測定される種々のパラメーターを記録してよい。例えば、データユニット５５２は、時間に対する流速を記録してよい。そのようなログは、例えば、重要なコンポーネントへの時間の掛かるガス溶接手順の間にガス流が存在し、それが正しかったことを確認したいと考える溶接施工業者にとって、または特定の顧客の使用に関するデータを企業へ提供するために、有用であり得る。
【０１３５】
別の選択肢として、データユニット５５０からのデータを、コンピューター操作可能溶接機（溶接用途の場合）、またはその他のガス使用機器へ出力して、警告メッセージと共に、誘導されるパラメーターの算出を可能とすることもできる。
【０１３６】
別の選択肢として、上記の例のすべては、所望に応じて、メーター２００、３５０に関して考察したように、全体がガスシリンダー５００または筺体２０８上（または内）に配置されるシステムによって処理され、保存され、またはそこから得られてもよい。
【０１３７】
上記実施形態を、石英水晶発振器の使用に関連して記載したが、当業者であれば、やはり用いることが可能である別の選択肢としての圧電材料を容易に認識するであろう。例えば、非網羅的なリストとしては、タンタル酸リチウム、ニオブ酸リチウム、ホウ酸リチウム、ベルリナイト、ガリウムヒ素、四ホウ酸リチウム、リン酸アルミニウム、酸化ビスマスゲルマニウム、多結晶チタン酸ジルコニウムセラミック、高アルミナセラミック、ケイ素‐酸化亜鉛コンポジット、または酒石酸二カリウムを含む水晶発振器が挙げられ得る。
【０１３８】
本発明の実施形態を、例示した例に特に関連して記載した。特定の例を図面で示し、本明細書にて詳細に記載したが、図面および詳細な記載は、開示した特定の形態に本発明を限定することを意図するものではないことは理解されるべきである。本発明の範囲内にて、記載の例に変更および改変を施してよいことは理解されるであろう。
【図１】
0005969696.tif 000006
【図２】
0005969696.tif 000007
【図３】
0005969696.tif 000008
【図４】
0005969696.tif 000009
【図５】
0005969696.tif 000010
【図６】
0005969696.tif 000011
【図７】
0005969696.tif 000012
【図８】
0005969696.tif 000013
【図９】
0005969696.tif 000014